(57)【要約】      （修正有）【課題】コンテンツの自動提示技術を提供する。【解決手段】キーワードの先読み機能を有し符号Ｒ１−符号Ｒ２−符号Ｒ３のように、各コンテンツにそれぞれ連鎖的にキーワードが存在する場合のみでなく、例えば連鎖の途中にキーワードが無いコンテンツＲ４があっても、そのリンク先にキーワードの有るコンテンツＲ５が存在すれば、自動的にコンテンツＲ５を提示する。但し、符号Ｒ６、符号Ｒ７で示すように、ある階層深さまでリンクを辿っていっても全くキーワードが無い場合には、その連鎖に関してはコンテンツの自動提示は行われない。このように、本実施の形態によるコンテンツ提示技術によれば、キーワードの先読みも考慮しつつコンテンツのリンクの解析を予め行うことにより、１つ先のリンク先にキーワードが無い場合でも、キーワードに関連する提示すべきコンテンツを決定できるという利点がある。【選択図】図２
2006293541.tif 000002
【特許請求の範囲】
【請求項１】
コンテンツを取得するコンテンツ取得部と、取得したコンテンツを記憶する記憶部と、取得したコンテンツをブラウザに提示するコンテンツ提示部と、該コンテンツ提示部により提示されたコンテンツを表示部に表示させるブラウザと、を有するコンテンツ提示装置であって、
前記記憶部に記憶されているコンテンツの中から、現在前記表示部に表示中の第１のコンテンツと関連し次に遷移する第２のコンテンツを抽出し前記コンテンツ提示部に提示するコンテンツ抽出部を有することを特徴とするコンテンツ提示装置。
【請求項２】
前記コンテンツ抽出部は、前記第１のコンテンツを含むコンテンツのリンクツリーを解析し、該リンクツリーにおけるキーワードの有無に基づいて、次に遷移する第２のコンテンツを抽出することを特徴とする請求項１に記載のコンテンツ提示装置。
【請求項３】
遷移するコンテンツの条件を設定するコンテンツ遷移条件設定部を有することを特徴とする請求項１又は２に記載のコンテンツ提示装置。
【請求項４】
前記条件は、データ放送に基づくコンテンツと通信コンテンツとに関する遷移の可否と、提示に関する優先順位と、を含む条件のなかから選択されるいずれか一方を有することを特徴とする請求項３に記載のコンテンツ提示装置。
【請求項５】
コンテンツ自動提示時に使用する表示用のメモリとしてコンテンツ提示用の専用メモリを有することを特徴とする請求項１から４までのいずれか１項に記載のコンテンツ提示装置。
【請求項６】
コンテンツが自動的に遷移する前に前記第１のコンテンツの表示中に遷移に関連するキーワード又はリンクをフォーカシングする手段を有することを特徴とする請求項１から５までのいずれか１項に記載のコンテンツ提示装置。
【請求項７】
前記第１のコンテンツから前記第２のコンテンツへの遷移前に前記第１のコンテンツをスクロールする処理を行うことを特徴とする請求項１から６までのいずれか１項に記載のコンテンツ提示装置。
【請求項８】
前記第１のコンテンツから前記第２のコンテンツへの遷移前に前記第１のコンテンツをスクロールする処理を行うことを特徴とする請求項１から７までのいずれか１項に記載のコンテンツ提示装置。
【請求項９】
スクロール中のコンテンツをフォーカシングする表示制御を行うことを特徴とする請求項８に記載のコンテンツ提示装置。
【請求項１０】
スクロールが全て完了した時点で次のコンテンツに自動的に遷移する処理を行うことを特徴とする請求項８に記載のコンテンツ提示装置。
【請求項１１】
コンテンツを取得するステップと、
取得したコンテンツを記憶するステップと、
記憶されている前記コンテンツの中から、現在表示中の第１のコンテンツと関連し次に遷移する第２のコンテンツを抽出するステップと
を有することを特徴とするコンテンツ提示方法。
【請求項１２】
前記コンテンツを抽出するステップは、前記第１のコンテンツを含むコンテンツのリンクツリーを解析し、該リンクツリーにおけるキーワードの有無に基づいて、次に遷移する第２のコンテンツを抽出するステップを含むことを特徴とする請求項１１に記載のコンテンツ提示方法。
【請求項１３】
前記第２のコンテンツへの表示遷移に先だって、コンテンツをスクロール操作することを特徴とする請求項１１又は１２に記載のコンテンツ提示方法。
【請求項１４】
コンピュータに請求項１１から１３までのいずれか１項に記載のステップを実行させるためのプログラム。
【発明の詳細な説明】
【技術分野】
【０００１】
本発明は、コンテンツの自動提示技術に関し、特に、表示画面の小さく操作性に劣る携帯端末にコンテンツを表示させるのに適したコンテンツ表示技術に関する。
【背景技術】
【０００２】
最近では、インターネットを介して或いはデジタル放送により、ユーザの端末などにコンテンツを提供するサービスが一般的に行われるようになってきている。地上１セグメント放送（以下、「地上１セグ放送」と称する。）などによるサービスにおいては、端末上に映像と同時にデータ放送などの表示を行うことができる。
【０００３】
このようなサービスを受けた場合に、携帯電話機などの携帯端末など、表示画面サイズが限られていた場合であってデータ量が多い場合には、１画面内に収まらない情報であっても、ユーザが携帯端末を操作することにより画面をスクロールさせ、見えていなかったコンテンツを表示することが可能である（例えば、特許文献１参照）。
【特許文献１】特開２００４−２１３４４３号公報
【発明の開示】
【発明が解決しようとする課題】
【０００４】
例えば、図７に示す１セグ地上デジタル放送でのデータ放送の提示例においては、操作部１０５を備えた携帯電話機１０１の表示画面１０３に、映像音声表示１０７とデータ放送１１１に基づく表示領域とが表示されている。ここでは、データ放送１０５の一部のみが画面１０３に表示されている。データ放送の続き１１５を表示させるためには、符号ＡＲ１００で示す矢印の方向に画面上の表示をスクロールなどに操作を行う必要がある。
【０００５】
データ放送の特徴としては、リアルタイムにコンテンツが更新される点、コンテンツデータはまとまった形で放送から受信される点、ユーザの操作によってコンテンツの提示やページの遷移が行われる点、放送コンテンツ受信の料金は無料である点、インターネット通信コンテンツが利用可能である点、などが挙げられる。
【０００６】
しかしながら、上記特許文献１に記載の技術のように、従来の携帯端末においては、提供されたコンテンツを１画面内にデータ放送の全ての内容を一度に表示することが難しい場合には、ユーザ操作によりコンテンツの表示を切り替える必要があった。また、自動的にコンテンツを閲覧する自動閲覧操作モードを用いることも考えられるが、ユーザが意図しない間にコンテンツの取得を行っていくため、通信費用が高額になったり、無駄なコンテンツを表示させたりするという問題があった。
【０００７】
本発明は、コンテンツの自動提示技術を提供することを目的とする。
【課題を解決するための手段】
【０００８】
本発明によれば、１セグデータ放送などにおいてコンテンツを自動的に提示することにより、操作のわずらわしさなどを減らしユーザの利便性を向上させることができる。
【０００９】
自動閲覧時には、専用のメモリを用いることにより、コンテンツ自動提示によって生じるユーザ操作以外による端末への影響や、コンテンツ提示の際に実行されるスクリプト言語などで実行される関数の影響を与えないようにする。また、例えば、通信コンテンツなど閲覧に費用が発生するコンテンツへの遷移への制限が可能である。放送および通信コンテンツの違いはリンクコンテンツの表示を変えておくことによりユーザに明示することができる。
【００１０】
すなわち、本発明の一観点によれば、コンテンツを取得するコンテンツ取得部と、取得したコンテンツを記憶する記憶部と、取得したコンテンツをブラウザに提示するコンテンツ提示部と、該コンテンツ提示部により提示されたコンテンツを表示部に表示させるブラウザと、を有するコンテンツ提示装置であって、前記記憶部に記憶されているコンテンツの中から、現在前記表示部に表示中の第１のコンテンツと関連し次に遷移する第２のコンテンツを抽出し前記コンテンツ提示部に提示するコンテンツ抽出部を有することを特徴とするコンテンツ提示装置が提供される。
【００１１】
コンテンツ提示装置においては、コンテンツ自動提示時に使用する専用メモリを有するのが好ましい。この専用メモリは、ＮＶＲＡＭなどにより構成されている。ＮＶＲＡＭは永続記憶領域(電源を切っても残っているメモリであって、たとえばフラッシュメモリなど)であり、ビデオ用メモリＶＲＡＭ（一般的には電力供給を行わないと記憶が消失するＳＲＡＭ、ＤＲＡＭなど）とは異なる。ＮＶＲＡＭは、ユーザが普通に操作して利用するメモリ(以下の実施の形態によるＮＶＲＡＭ通常用メモリ（符号１５）)と、自動提示に使用するメモリ(ＮＶＲＡＭ自動提示用メモリ（符号１７）)に分けられるのが好ましい。
【００１２】
前記コンテンツ抽出部は、前記第１のコンテンツを含むコンテンツのリンクツリーを解析し、該リンクツリーにおけるキーワードの有無に基づいて、次に遷移する第２のコンテンツを抽出するのが好ましい。コンテンツのリンクツリーを把握した上でコンテンツの遷移を行うことにより、例えば、ツリーの隣接するコンテンツにはリンクが無い場合でもその次のコンテンツにリンクがある場合などに、そのコンテンツへの遷移を行うことができる。遷移するコンテンツの条件は、コンテンツ遷移条件設定部からユーザが設定することができる。前記条件の中には、例えば、データ放送に基づくコンテンツと通信コンテンツとに関する遷移の可否や、提示に関する優先順位などが含まれる。すなわち、コンテンツの提示に関する費用、コンテンツ解析の深さや幅優、循環スクロールの有無などを自ら設定することができる。表示用のメモリとしてコンテンツ提示用の専用メモリを有することを特徴とする。これにより、コンテンツの自動提示に伴うメモリの使用に起因する表示特性の変動を抑制することができる。
【００１３】
尚、スクロール中のコンテンツをフォーカシングする表示制御を行うことを特徴とする。これにより、ユーザの閲覧したいコンテンツが見つかった場合、容易に選択を行える。
【発明の効果】
【００１４】
本発明によれば、自動的にコンテンツの提示、遷移を行うことにより、ユーザはボタン操作を行うことなくコンテンツの閲覧を行うことができるという利点がある。ユーザは、自動閲覧による通信費の発生や端末への影響を意識する必要がなくなるという利点がある。
【発明を実施するための最良の形態】
【００１５】
本明細書において、キーワードやメタデータなど、例えば、当該コンテンツの内容と特徴的に表すための文字・記号などを総称して「キーワード」と称する。また、あるコンテンツと別のコンテンツとを関連付けする文字、記号等を「リンク」と称する。キーワードがリンクと重なる場合もある。
【００１６】
まず、本発明の一実施の形態によるコンテンツ提示技術及びコンテンツ表示技術を用いたコンテンツ提示システムについて、図面を参照しつつ説明を行う。図１は、本実施の形態によるコンテンツ提示システムの一構成例を示す図である。図１に示すように、本実施の形態によるコンテンツ提示システムＡは、コンテンツなどのデータを受信して、コンテンツを蓄積するコンテンツメモリ１と、コンテンツの内容を解析しキーワード等に一致するコンテンツデータを抽出する抽出部３と、コンテンツ提示に関する制御を行うコンテンツ提示制御部５と、データ放送を含むコンテンツを閲覧するためのブラウザ７と、コンテンツを表示する表示装置１１と、通常のユーザ操作によるコンテンツ提示時に使用する永続記憶領域ＮＶＲＡＭ１５とコンテンツ自動提示時に使用する永続記憶領域ＮＶＲＡＭ１７とを選択するスイッチ２１、を有している。尚、ＮＶＲＡＭは、永続記憶領域(電源を切っても残っている例えばフラッシュメモリ)のことである。ユーザが普通に操作して利用するメモリはＮＶＲＡＭ１５（通常用）であり、自動提示に使用するメモリはＮＶＲＡＭ１７（自動提示用）である。ＮＶＲＡＭ１５は、データ放送コンテンツが番組内でのゲームポイントを保存したり、ユーザの郵便番号を保存して地域の天気予報を提供する際に利用するなど、様々な目的で使うことができる。
【００１７】
第２のＮＶＲＡＭ１７は、自動的にコンテンツを提示する場合に、携帯端末の状態が変化しないように、第１のＮＶＲＡＭ１５とは異なる別のメモリ領域を使用するものであり、例えばメモリカードなどの不揮発性メモリを用いることができる。第１のＮＶＲＡＭとは異なるメモリを用いることにより、コンテンツ自動提示による端末の状態変化が生じないようにすることができる。尚、コンテンツ提示システムＡは、キーワード等を入力するユーザ入力部を備えていても良い。
【００１８】
図２は、本実施の形態によるコンテンツ提示システムＡのコンテンツ抽出部３（図１）におけるコンテンツデータの解析方法の一例を示す図である。図２に示すように、コンテンツのリンクを辿るとツリー構造になっているのが一般的である。実線で囲まれるコンテンツはキーワードがあるコンテンツであり、破線で囲まれるコンテンツはキーワードが無いコンテンツである。本実施の形態によるコンテンツデータの解析方式の特徴は、符号８３−符号８５−符号９０のように、各コンテンツにそれぞれ連鎖的にキーワードが存在する場合のみでなく、例えば連鎖（８３−８７−９１）の途中にキーワードが無いコンテンツ８９があっても、そのリンク先にキーワードの有るコンテンツ９１が存在すれば、自動的にコンテンツ９１を提示することができるようにした点である。換言すれば、キーワードの先読み機能を有している。リンク先を辿る階層の深さは、予め決めておくのが好ましい。
【００１９】
但し、符号８８、符号９３で示すように、ある階層深さまでリンクを辿っていっても全くキーワードが無い場合には、その連鎖に関してはコンテンツの自動提示は行われない。このように、本実施の形態によるコンテンツ提示技術によれば、キーワードの先読みも考慮しつつコンテンツのリンクの解析を予め行うことにより、１つ先のリンク先にキーワードが無い場合でも、キーワードに関連する提示すべきコンテンツを決定できるという利点がある。
【００２０】
図３は、本実施の形態によるコンテンツの自動提示処理の流れを示す概略的なフローチャート図である。図１及び図３に示すように、まず、ステップＳ１においてコンテンツの読み出し、蓄積を行う。このステップにおいては、データ放送受信処理などに応じてコンテンツをコンテンツメモリ１に保存する。通信を行う場合には、必要に応じてコンテンツを読み出しておく。次に、ステップＳ２において、コンテンツの自動表示条件を選択する処理を行う。より具体的には、自動的に表示又は遷移などを行うコンテンツの条件を設定する。例えば、１）通信コンテンツは遷移しない、２）キーワード、メタデータが一致しないコンテンツには遷移しない、などである。また、コンテンツの提示方法の選択を行う。例えば、３）遷移表示順（図２に示すコンテンツツリーの深さを優先したり、幅を優先したりする。）や、４）表示方法（循環スクロールを行わせるか否かなど）を設定する。尚、リンクの幅優先の遷移とは、開始ページからキーワードのあるページのリンクの深さが同じものから優先的に遷移して提示することである。リンクの深さ優先の遷移とは、開始ページからキーワードのあるリンクに先頭から順に遷移しページを提示し、リンクの先にキーワードが無くなったら開始ページに戻り次のリンクをたどっていく方法である。
【００２１】
ステップＳ３において、コンテンツ解析及び抽出処理を行う。例えば、コンテンツのリンク先ＵＲＬ、コンテンツデータ及びメタデータから自動提示するコンテンツの抽出を行う。ステップＳ４において、コンテンツ自動提示を行う。
【００２２】
このようにして、自動的にコンテンツの提示を行う仕組みを作っておくことにより、ユーザの操作のわずらわしさを低減することができる。
【００２３】
図４は、本実施の形態による自動文書遷移の具体的な様子を示す図である。図４に示すように、操作部３５を有する携帯電話機３１の表示画面３３に関して、破線で示されるデータ放送表示領域４１が画定される。尚、符号３７は、一連の情報であり、これらの情報の全てを表示領域４１に一度に表示させることはできないが、スクロール等の操作により矢印ＡＲ１方向に表示対象を動かしながら自動的にコンテンツを表示させることはできる。この際、自動的にするコールさせることも可能である。表示領域４１には現在表示されていないが、表示領域４１に表示されているコンテンツについて、明日の天気４７の「天気」をキーワードとして設定しこのキーワードに基づいて自動的に文書遷移を行うことで表示された現在表示中（３７）の画面における「関東」というキーワード４５を抽出し、「天気」と「関東」とをキーワードとして、右図のように地域の天気５１に関して、関東の天気に関する表示４１ａが行われる。ここでは、関東地方の一部である東京４５ａと千葉４５ｂとが表示領域４１ａ内において表示されており、その下の隠れているデータとして、例えば、埼玉４５ｃなどの天気がコンテンツ３７ａとして保持されている。このように、表示領域に表示されているコンテンツに関するキーワードに基づいて、自動的にキーワード検索が行われ、検索に基づく新たな表示が行われる。自動スクロール中に、ユーザが気になるキーワードなどが見つかった場合には、その時点でスクロールを止めて、確認することができるようにするのが好ましい。この際、キーワードが見つけやすいように目立つような表示にしておくことも可能である。
【００２４】
尚、自動スクロール時には、単にスクロールによりユーザに全体像を知らせることが目的であるため、特にスクロール内容を後まですべて記憶できるほどゆっくりとスクロールする必要はなく、これによりスクロールに伴う端末への負担を低減することができる。また、一連のキーワードに関連するコンテンツの自動スクロールが全て完了したタイミングで次のコンテンツに自動的に遷移させるように制御することも可能である。これにより、ユーザはコンテンツの概要をほぼ把握するとともに、もし必要であれば次のコンテンツへの遷移を強制的に停止させる操作を行いことも可能である。その後に、ユーザが異なるキーワードを指定することにより、さらに自動スクロールを継続させることもできる。
【００２５】
以上に説明したように、本実施の形態によるコンテンツ提示技術によれば、現在表示中のコンテンツに関するキーワードに基づいて自動文書検索を行い、検索されたコンテンツに自動的にスクロールなどの遷移が行われる。このように、第１のコンテンツ表示に関連するキーワードに基づいて、自動的に第２のコンテンツ表示を行うことができるため、操作のわずらわしさが低減しユーザの利便性を向上させることができる。
【００２６】
尚、自動スクロール中に、ユーザが閲覧したいコンテンツを発見した場合には、その時点で自動スクロールを止めることもできるし、一時停止することも可能である。また、その表示されたコンテンツを、例えば記憶媒体などに記憶させておくことも可能である。また、データ通信とデータ放送とがある場合に、データ通信は費用が発生する又は高価であるため、データ通信への遷移を抑制する制御を行うことにより、自動スクロールに伴う費用の発生を抑制することができる。
【００２７】
次に、本発明の第２の実施の形態によるコンテンツ提示技術及びコンテンツ表示技術を用いたコンテンツ提示システムについて、図面を参照しつつ説明を行う。図５は、本実施の形態によるコンテンツ提示システムの構成例を示す図である。図４に示すコンテンツ提示システムと図５に示す本実施の形態によるコンテンツ提示システムとは、キーワードを利用してコンテンツ表示に関する遷移を行う点では共通しているが、本実施の形態による技術は、ユーザの興味のあるコンテンツに重点をおいて自動提示させることができる点に特徴がある。すなわち、表示画面６１を含むコンテンツ５７のうち表示されている部分のうち「関東」というキーワードに基づいて自動遷移が行われる場合には、この「関東」という文字表示にフォーカスされるようになっている。フォーカスされるとは、例えば、「関東」を点滅させたり、色を変更して表示させたりすることによりユーザが視覚的に認識可能な状態を指す。図５の右図において、表示領域６１ａで、「関東」に関連する地域の天気が遷移後の表示画面６１ａに表示されており、東京６３ａ、千葉６３ｂが表示領域におけるリンクとして表示されており、その下の領域５７ａには、埼玉６３ｃがスクロール後の表示候補としてメモリに保持されている。キーワードの代わりにメタデータに基づいて優先的に閲覧するコンテンツを選択できるようにしても良い。
【００２８】
以上のように、本実施の形態によるコンテンツ提示システムにおいては、遷移を行う場合にフォーカスされる領域を視覚的に他の領域と識別可能な形態で表示することにより、ユーザは、自動的に遷移が行われること、何がキーワードとなってコンテンツの遷移が行われているかについて簡単に知ることが出来る。
【００２９】
次に、本発明の第３の実施の形態によるコンテンツ提示技術及びコンテンツ表示技術を用いたコンテンツ提示システムについて、図面を参照しつつ説明を行う。図６は、本実施の形態によるコンテンツ提示システムの構成例を示す図である。図６に示す本実施の形態によるコンテンツ提示システムは、コンテンツの遷移を行う前に、コンテンツ表示候補６７を、少なくとも一度全体にスクロール（符号ＡＲ３参照）させることを特徴とする。このようにすると、表示候補６７をスクロール表示させ表示領域７１において一旦全てのコンテンツを見ることが出来るようにすることで、ユーザは全体の内容を事前に把握することができるという利便性がある。この際、循環スクロールを行った後には、元のフォーカスされている位置（関東）７３に戻るように制御することにより、フォーカスの移動位置を少なくすることができ、ユーザの操作量を少なくすることにより操作性を向上させることができる。すなわち、文書の先頭から最後までの移動距離が少なくなるという利点がある。また循環スクロールを行うことで、コンテンツ自動提示でなく通常のユーザ操作によるコンテンツ提示においてもページの先頭と最後との間の移動に必要な操作を少なくすることができ、装置の操作性を向上することが可能となる。
【００３０】
尚、コンテンツの自動閲覧モードに設定する際には、通信コンテンツと放送コンテンツとを明確に区別できるようにしておくこともできる。このようにすることにより、一般的に通信費が必要になる通信コンテンツの自動スクロールをユーザの意志により制限することができ、費用を削減することも可能である。
【００３１】
以上、本実施の形態によるコンテンツ提示技術によれば、ユーザは操作を行うことなく、コンテンツの自動閲覧を継続的に行うことができる。従って、ユーザが操作できないような状況でも、コンテンツを継続的に閲覧できるという利点がある。また、データ放送の場合にはデータ通信と異なり料金が安価又は無料であるため、データ通信を積極的に利用して閲覧費用を低減することができる。
【産業上の利用可能性】
【００３２】
本発明は、コンテンツの自動提示装置として利用可能である。
【図面の簡単な説明】
【００３３】
【図１】本発明の第１の実施の形態によるコンテンツ提示システムの一構成例を示す図である。である。
【図２】本実施の形態によるコンテンツ提示システムにおけるコンテンツデータの解析方法の一例を示す図である。
【図３】本実施の形態によるコンテンツの自動提示処理の流れを示す概略的なフローチャート図である。
【図４】本実施の形態による自動文書遷移の様子を示す図である。
【図５】本発明の第２の実施の形態によるコンテンツ提示システムの構成例を示す図である。
【図６】本発明の第３の実施の形態によるコンテンツ提示システムの構成例を示す図である。
【図７】１セグ地上デジタル放送でのデータ放送の提示例を示す図である。
【符号の説明】
【００３４】
Ａ‥コンテンツ提示システム、１‥コンテンツメモリ、３‥抽出部、５‥コンテンツ提示制御部、７‥データ放送ブラウザ、１１‥表示装置、１５‥通常のユーザ操作によるコンテンツ提示で用いる永続記憶領域（第１のＮＶＲＡＭ）、１７‥コンテンツ自動提示用の第２のＮＶＲＡＭ、２１‥スイッチ。
【図１】
2006293541.tif 000003
【図２】
2006293541.tif 000004
【図３】
2006293541.tif 000005
【図４】
2006293541.tif 000006
【図５】
2006293541.tif 000007
【図６】
2006293541.tif 000008
【図７】
2006293541.tif 000009